(57)【要約】【課題】  コスト高にならないポップアップ構造を保ったまま、浴槽排水口を閉塞する密閉栓蓋の開閉操作を、操作者が浴室内に入らない状態で操作することができ、また、操作部をフランジに設けることにより生じるあらゆる問題を回避することのできる浴槽排水栓装置を提供する。【解決手段】  操作部１を操作することで浴槽排水口８２を開閉するポップアップ式の浴槽排水栓装置Ａである。浴室の壁６を内外に貫通する貫通部３を設けると共に脱衣室の壁７に操作部１を設け、浴槽排水口８２をレリース４により開閉する密閉栓蓋２を浴槽排水口８２に設ける。そして、レリース４の一端側を前記密閉栓蓋２に接続すると共に、他端部を浴室の壁６に設けた貫通部３を経由して脱衣室の壁７に設けた操作部１に接続した。【選択図】        図１
2010196331.tif 000002
【特許請求の範囲】
【請求項１】
操作部を操作することで浴槽排水口を開閉するポップアップ式の浴槽排水栓装置であって、浴室の壁を内外に貫通する貫通部を設けると共に脱衣室の壁に操作部を設け、浴槽排水口をレリースにより開閉する密閉栓蓋を浴槽排水口に設け、レリースの一端側を前記密閉栓蓋に接続すると共に他端部を浴室の壁に設けた貫通部を経由して脱衣室の壁に設けた操作部に接続して成ることを特徴とする浴槽排水栓装置。
【発明の詳細な説明】
【技術分野】
【０００１】
本発明は、浴槽の排水栓装置に関し、特に、レリースを遠隔操作することで密閉蓋栓にて浴槽排水口を開閉するポップアップ式の排水栓装置に関するものである。
【背景技術】
【０００２】
従来から、浴槽の排水栓として特許文献１に示すポップアップ式の排水栓装置が知られている。この特許文献１により示す排水栓装置は、浴槽の底部の浴槽排水口にこの浴槽排水口を閉塞する密閉栓蓋を設け、操作部としての操作スイッチを操作することによって密閉栓蓋を上下動させて浴槽排水口を開閉させるものである。具体的には、操作部による操作力を伝達する伝達機構部としてのレリースの一端を密閉栓蓋に接続すると共に、その他端を操作部に接続してあり、このレリースを浴槽の下部からフランジに至るように配設し手、浴槽のフランジ面から上方にやや突出するようにして操作部が配設してある。
【０００３】
ここで図４（ａ）（ｂ）に示すものは、このような浴槽排水栓装置を設置した浴室内部の全体図である。図４（ａ）（ｂ）に示すように、浴槽８のフランジ面に設置した操作部１ａは、浴室の出入り口Ｂから遠い側の浴槽８のフランジの隅部に設けてある。なお、図中の９はデッキタイプの混合水栓（以下デッキ水栓という）を示し、８２は浴槽排水口を示している。
【先行技術文献】
【特許文献】
【０００４】
【特許文献１】特開平１１−３２４０５３号公報
【発明の概要】
【発明が解決しようとする課題】
【０００５】
ところで上記のような浴室において、洗い場が濡れている場合に浴槽８の排水を行なおうとすれば、濡れている洗い場上を歩いて操作部のある位置にまで移動する必要があり、そのままで歩けば足裏が濡れてしまうという問題があった。
【０００６】
また、操作部１ａが浴槽８のフランジの隅部に設けてあるため、デッキ水栓９を設置するに当たって、フランジ面に設けた操作部１ａに干渉しないようにデッキ水栓９を設置する必要がある。また、デッキ水栓９に接続された配管がフランジ下部に配されている場合は、操作部１ａから延出したレリースと、この配管とが干渉しないようにしなければならない。このため、これらの点から、操作部を配設することはデッキ水栓９の設置における設計上の制約を与えるものとなっていた。
【０００７】
さらに、フランジに設けた操作部１ａはフランジ上面から突出しており、浴槽８に浴槽フタを設置する場合に、操作部１ａと浴槽フタとが干渉してしまうという問題も生じていた。
【０００８】
また、フランジに操作部１ａを設けるに当たって、フランジに取付孔を穿設することになるが、この孔施工によってフランジ面への傷や孔外縁部の欠けが生じてしまいやすく、このような場合、単に止水・防水処置を施しても漏水のおそれが残るものとなってしまうという問題もあった。
【０００９】
一方、浴槽排水口８２に電磁弁を設けて排水制御を遠隔操作できるように構成することも考えられるが、電磁弁を使用すればコスト高となってしまうばかりか、遠隔操作用の操作部のための電気配線工事が必要となるものであった。
【００１０】
本発明は、上記従来の問題に鑑みてなされたものであり、その目的とするところは、コスト高にならないポップアップ構造を保ったまま、浴槽排水口を閉塞する密閉栓蓋の開閉操作を、操作者が浴室内に入らない状態で操作することができ、また、操作部をフランジに設けることにより生じるあらゆる問題を回避することのできる浴槽排水栓装置を提供することにある。
【課題を解決するための手段】
【００１１】
上記課題を解決するために本発明は以下の構成を備えている。
【００１２】
すなわち、操作部１を操作することで浴槽排水口８２を開閉するポップアップ式の浴槽排水栓装置Ａである。浴室の壁６を内外に貫通する貫通部３を設けると共に脱衣室の壁７に操作部１を設け、浴槽排水口８２をレリース４により開閉する密閉栓蓋２を浴槽排水口８２に設ける。そして、レリース４の一端側を前記密閉栓蓋２に接続すると共に、他端部を浴室の壁６に設けた貫通部３を経由して脱衣室の壁７に設けた操作部１に接続した。
【発明の効果】
【００１３】
本発明によれば、浴槽の浴槽排水口を閉塞する密閉栓蓋の開閉操作を、浴室に入らないで脱衣室から操作することができる。その上、ポップアップ式の排水構造であるため、コスト高になるのを回避することができる。しかも、従来例のようにフランジ上面に操作部を設けていないので、操作部の取付孔からの漏水の問題も発生せず、デッキ水栓を設ける場合の設計上の自由度が増し、さらに風呂蓋と操作部が干渉することも回避することができる。
【図面の簡単な説明】
【００１４】
【図１】本発明の一実施形態の概略断面図である。
【図２】同上の浴槽の底部の要部側断面図である。
【図３】同上の操作部を脱衣室側から見た斜視図である。
【図４】（ａ）（ｂ）は従来の浴室の上面からみた概略図である。
【発明を実施するための形態】
【００１５】
以下、本発明について添付図面に基づいて説明する。
【００１６】
本発明の一実施形態として、浴室ユニットに設けた浴槽排水栓装置Ａについて説明する。
【００１７】
本実施形態の浴室ユニットは、洗い場を構成する洗い場床パンと浴槽８を載置する浴槽床パンとで構成された床パンの周囲に、浴室の壁６となる壁パネル６ａを立設し、この壁パネル６ａの上端に天井パネルを載設して構成されている。一方、浴室ユニットには脱衣所が隣接して設置してあり、この脱衣所と浴室ユニットとは、脱衣室の壁７と壁パネル６ａとからなる壁部５を介した状態で設置されている。
【００１８】
本実施形態の浴槽排水栓装置Ａは、この脱衣室の壁７に設けた操作部１を操作することによって、壁部５を介して設置された浴室ユニット内の浴槽８の排水操作を遠隔的に操作できるものであり、以下に詳述する。
【００１９】
図２に示すように、浴室ユニットに設置された浴槽８の底部８１には浴槽排水口８２が設けてあり、この浴槽排水口８２にはレリース４を介して操作部１により密閉栓蓋２を遠隔操作するポップアップ式の浴槽排水栓装置Ａが取り付けられる。この浴槽排水栓装置Ａは、図１に示すように、メカボックス２１を内部に収容した排水口金具２２と、このメカボックス２１にレリース４を介して接続される操作部１と、で主体が構成されている。排水口金具２２は、浴槽排水口８２内に挿入されると共に外面に雄ねじが形成してある排水筒部２３と、この排水筒部２３の上端に形成される排水フランジ部２４とから構成されている。この排水筒部２３を上方から浴槽排水口８２内に挿入して、排水口金具２２の排水フランジ部２４を浴槽８の底部８１の浴槽排水口８２の周縁部の上面にパッキン２５を介して当接させ、下方よりナット２６を排水筒部２３の雄ねじに螺合させて締結し、排水口金具２２の排水フランジ部２４とナット２６とで浴槽８の底部８１を挟持することで、排水口金具２２を浴槽８の底部８１に固定している。そして排水口金具２２に螺設されたナット２６の下端には、パッキン２５を介して排水トラップ８３部が設置される。なお、排水口金具２２は金属でなく別部材で形成してもよい。
【００２０】
このレリース４は、アウターチューブ４１内にインナーワイヤを挿通することで構成されており、インナーワイヤがアウターチューブ４１に対して前進後退するようになっている。
【００２１】
メカボックス２１には、メカボックス２１の下端からレリース４の一端側が挿入されていて、レリース４の他端側が操作部１と連結している。メカボックス２１は、レリース４のインナーワイヤの挿入・引出により、メカボックス２１の上部の孔から上方に軸部２７が突出・没入するようになっている。これにより、軸部２７の上端に固定されている密閉栓蓋２が軸部２７に追従して突没し、突出したときに浴槽排水口８２を開口して浴槽８内と排水トラップ８３とを連通させた状態とすると共に、没入したときに浴槽排水口８２を閉塞するようになる。このように、レリース４の一端側は上述した密閉栓蓋２（正確には密閉栓蓋２から下方に突出する軸部２７）に接続されると共に、他端側は操作部１に接続されていて、使用者がこの操作部１を操作することにより、レリース４のインナーワイヤの押出・引張が行なわれて、メカボックス２１に対するインナーワイヤの挿入・引出が行なわれる。
【００２２】
そしてナット２６の側面には、レリース４を外方に導出するための挿通孔２８が穿設されており、メカボックス２１から延出するレリース４をこの挿通孔２８を経由させて、水密的にナット２６の外方に導出している。
【００２３】
一方、操作部１は上述の通り脱衣室の壁７に設置されている。この操作部１は、図１に示すように、操作部１の主体を構成する箱状の操作ハウジング１１と、操作ハウジング１１内に設けられて開口に鍔部１２１を有した有底円筒状の筒状部１２と、筒状部１２内に摺動自在に嵌入して前進後退可能な操作スイッチ１３と、脱衣室の壁７に沿って設置される化粧板１４とを備えている。
【００２４】
図３に示すように、化粧板１４の一部には筒状部１２が挿通される開口が穿設されており、この開口に筒状部１２が挿通された状態で筒状部１２の鍔部１２１が化粧板１４に当接するようになっている。筒状部１２の後端面はレリース４が挿通可能なレリース挿通孔１２２が穿設してあり、密閉栓蓋２に接続されたレリース４の反対側の端部がこのレリース挿通孔１２２を介して操作スイッチ１３の後端に接続されている。したがって、この操作スイッチ１３の前進後退運動により、インナーワイヤを前進後退させ、インナーワイヤの前進後退により、密閉栓蓋２が浴槽排水口８２に対して上下動してこの浴槽排水口８２を開閉するようになっている。
【００２５】
この操作部１は、脱衣室の壁７と浴室ユニットの壁パネル６ａとの間の空間に（つまり壁部５内に）操作ハウジング１１が位置するようにして埋設してあり、操作スイッチ１３を含む化粧板１４が脱衣室内に臨むようにして設置されている。
【００２６】
また、浴室ユニットの壁パネル６ａには壁パネル６ａ内外に連通する貫通部３が設けてある。この貫通部３は、壁パネル６ａを内外に貫通した貫通孔３１と、この貫通孔３１内に嵌め込まれる筒部材３２とで構成されており、この筒部材３２に設けられたフランジ部３２１を壁パネル６ａの壁面に当接させた状態で貫通孔３１に筒部材３２が嵌入している。筒部材３２のフランジ部３２１がある側とは反対側の端部にはガイド配管３３が被嵌してあり、このガイド配管３３における筒部材３２と連結された側とは反対側の端部は、前述の操作ハウジング１１の下面に連通接続するようになっている。
【００２７】
図１に示すように、浴槽排水口８２に設けられた密閉栓蓋２と操作部１とを繋ぐレリース４は、貫通部３を経由してガイド配管３３を通り、操作ハウジング１１内の筒状部１２の後端に設けられたレリース挿通孔１２２を通過し、操作スイッチ１３の後端に接続されており、つまり、密閉栓蓋２に接続されたレリース４は、壁パネル６ａ（浴室の壁６）に設けた貫通部３を経由して脱衣室の壁７に設けた操作部１に接続されている。
【００２８】
以上のような構成によれば、脱衣室に設けた操作部１の操作スイッチ１３を操作することで、密閉栓蓋２の上下移動をさせることができ、この密閉栓蓋２の上下動により浴槽排水口８２を開閉することができるので、仮に洗い場が濡れていたとしても洗い場上を歩く必要がなく、気兼ねなく且つ簡単に浴槽８の排水を行なうことができる。しかも、排水操作を遠隔操作するに当たり、電磁弁などの電気配線を使用することなく、ポップアップ式の構造を採用しているから、コスト高となるのを防ぐことができると共に停電等による動作不良も防ぐことができる。
【００２９】
また、従来のような浴槽８のフランジに操作部１を設けたものではないため、デッキ水栓を設置するに当たり設計上の自由度が増すという利点も有している。更に、浴槽フタを設置するに当たっても操作部１と浴槽フタとが干渉しないものとなる。また、浴槽８のフランジに孔加工をしないため、孔加工によって浴槽製品に傷がついたり、孔が欠けて漏水が発生するという危険も生じ得ない。
【００３０】
以上、本発明の浴槽排水栓装置を、浴室ユニットに取り付けられた浴槽排水栓装置Ａに基づいて説明したが、浴室ユニットは通常の浴室であってもよいのはもちろんである。また、本実施形態はレリース４をナット２６に設けた挿通孔２８から取り出しているが、排水トラップ８３を経由した後に取り出し、壁パネル６ａに設けた貫通部３を経由して操作部１に接続するようにしてもよく、つまりこのレリース４を取り出す部位は特に限定されない。
【符号の説明】
【００３１】
１      操作部
１１    操作ハウジング
１２    筒状部
１２１  鍔部
１２２  レリース挿通孔
１３    操作スイッチ
１４    化粧板
２      密閉栓蓋
２１    メカボックス
２２    排水口金具
２３    排水筒部
２４    排水フランジ部
２７    軸部
２８    挿通孔
３      貫通部
３１    貫通孔
３２    筒部材
３２１  フランジ部
３３    ガイド配管
４      レリース
４１    アウターチューブ
５      壁部
６      浴室の壁
６ａ    壁パネル
７      脱衣室の壁
８      浴槽
８１    底部
８２    浴槽排水口
Ａ      浴槽排水栓装置
【図１】
2010196331.tif 000003
【図２】
2010196331.tif 000004
【図３】
2010196331.tif 000005
【図４】
2010196331.tif 000006